(57)【要約】【課題】寸法の異なる複数の種類が存在する物品の中から、特定の寸法を有する物品を効率よく探すことができる、寸法識別マークが付された物品を提供する。【解決手段】木ねじは、ねじ径の寸法の順にねじ径の整数値部分が同一となる木ねじにグループ分けされ、各グループには異なる色が割り当てられている。そして、木ねじの包装に印刷される寸法識別マーク２０ａ〜２０ｊは、木ねじの径の整数値部分を表示する第１表示部２２ａ〜２２ｊ及び木ねじの径の少数値部分を表示する第２表示部２４ａ〜２４ｊから構成されている。そして、第１表示部２２ａ〜２２ｊは各グループに割り当てられた色で内部が着色され、中央部にねじの径の整数値部分の数値が大きく白抜きで表記されている。そして、第２表示部は円形又は多角形の輪郭を有し、中央部にねじの径の少数値部分の数値が白抜きで大きく表記されている。【選択図】図１
0003152762.tif 000002
【実用新案登録請求の範囲】
【請求項１】
物品、物品に貼付するラベル、または物品の包装に該物品の寸法を表わす寸法識別マークが付された物品であって、
前記物品には寸法が異なる複数の種類の物品が存在し、該物品は寸法の大きさの順に複数のグループに区分され、各グループには寸法が隣接するグループと異なる色が割り当てられ、
前記寸法識別マークは前記物品の属するグループに割り当てられた色で着色されると共に、該寸法識別マークには該物品の寸法が視認しやすい文字で表示されている寸法識別マークが付された物品。
【請求項２】
請求項１に記載の寸法識別マークが付された物品であって、
前記寸法の整数値部分が同一の物品は同一のグループに属し、該寸法の整数値部分が異なる物品は異なるグループに属し、各グループには異なる色が割り当てられていることを特徴とする寸法識別マークが付された物品。
【請求項３】
請求項１または請求項２に記載の寸法識別マークが付された物品であって、
前記物品には該物品の前記寸法に対応する寸法を有し該物品と同時に使用される対応物品が存在し、
前記対応物品に付される寸法識別マークが、前記物品に付される寸法識別マークと同じ色で着色されていることを特徴とする寸法識別マークが付された物品。
【請求項４】
請求項３に記載の寸法識別マークが付された物品であって、
前記対応物品に付される寸法識別マークの形状が、前記物品に付される寸法識別マークの形状と相似形とされていることを特徴とする寸法識別マークが付された物品。
【請求項５】
請求項３または請求項４に記載の寸法識別マークが付された物品であって、
前記物品はねじであり、前記寸法はねじの径であり、前記対応物品はねじを挿通する孔の明けられた金具であることを特徴とする寸法識別マークが付された物品。
【請求項６】
請求項１〜請求項５のいずれかに記載の寸法識別マークが付された物品であって、
前記物品には該物品の寸法を検査する検査具が存在し、
前記検査具は前記物品の各寸法に対応する複数の検査構造部を備えており、該検査具の該検査構造部の近傍に、該物品の各寸法に対応する寸法識別マークと同じ色で着色され、かつ、該検査構造部で検査される寸法を視認しやすい文字で表示した寸法識別マークが付されていることを特徴とする寸法識別マークが付された物品。
【請求項７】
請求項６に記載の寸法識別マークが付された物品であって、
前記検査具に付された寸法識別マークの形状が、前記物品に付された寸法識別マークの形状と相似形とされていることを特徴とする寸法識別マークが付された物品。
【考案の詳細な説明】
【技術分野】
【０００１】
この考案は寸法識別マークが付された物品に関する。さらに詳しくは、寸法の異なる複数の種類が存在する物品において、物品の寸法を表す寸法識別マークが物品本体、物品に貼付されるラベル、またはその包装に付された物品に関する。
【背景技術】
【０００２】
ねじやボルト等の締結具には規格により径が少しずつ異なる複数の種類がある。そして、特定の径のねじやボルトを購入しようとする場合、ねじやボルトの現物を見ただけでその径を正確に判断することは難しい。そこで、ねじ等の売り場では、例えばねじが収納された棚にねじの径を表示したり、ねじの収納袋にねじの径を表示して、購入者が特定の径のねじを見つけられるように便宜を図っている。
特開２００６−６２７３９号公報（特許文献１）には、ねじやボルトの径を表示した収納袋に収納されたねじが記載されている。そして、特許文献１では、ねじ等の収納袋に表示されるねじの径やねじの頭の形状等の商品情報について、商品情報の種類毎に色を変え、同一の商品情報は同一の色で着色することが記載されている。そこで、ねじやボルトの径を確認するには、収納袋の寸法表示に割り当てられた色で着色された部分の表示を見ればよい。
【先行技術文献】
【特許文献】
【０００３】
【特許文献１】特開２００６−６２７３９号公報
【考案の概要】
【考案が解決しようとする課題】
【０００４】
しかし、特許文献１に記載された収納袋に表示されたねじの径は、ねじの収納袋を手に取った時に径の寸法が目視できる程度の大きさの文字で記載されるのが一般的であり、十種類を越えるようなねじの中から売り場を一瞥して特定の径のねじを見つけるのは困難である。
ここで、ねじやボルトの径が表示されている部分が特定の色で着色されていれば、径が表示されている部分を探すのに役立つ。しかし、特定の径のねじやボルトを見つけるためには、結局、着色部分に表示された寸法を個別に確認する必要がある。
【０００５】
そこで、本考案が解決しようとする課題は、寸法の異なる複数の種類が存在する物品の中から、特定の寸法を有する物品を効率よく探すことができる、寸法識別マークが付された物品を提供することである。
なお、本考案では、「寸法識別マークが付された物品」には、印刷等により物品に直接寸法識別マークが付される場合の他に、寸法識別マークが印刷されたラベル等が物品に貼付される場合、および、収納袋等の物品の包装に寸法識別マークが印刷されている場合が含まれるものとする。
【課題を解決するための手段】
【０００６】
上記課題を解決するため、本考案にかかる寸法識別マークが付された物品は次の手段をとる。
まず、本考案の第１の考案は、物品、物品に貼付するラベル、または物品の包装に該物品の寸法を表わす寸法識別マークが付された物品であって、
前記物品には寸法が異なる複数の種類の物品が存在し、該物品は寸法の大きさの順に複数のグループに区分され、各グループには寸法が隣接するグループと異なる色が割り当てられ、前記寸法識別マークは前記物品の属するグループに割り当てられた色で着色されると共に、該寸法識別マークには該物品の寸法が視認しやすい文字で表示されている寸法識別マークが付された物品である。
【０００７】
この第１の考案によれば、物品は寸法の大きさの順で複数のグループに区分されてグループ毎に寸法が隣接するグループとは異なる色が割り当てられ、同一グループに属する寸法の近い物品の寸法識別マークは同じ色で着色され、寸法順に寸法識別マークが色分けされている。そこで、特定の寸法を有する物品を探す場合、ある物品の寸法が特定の寸法に近い場合は、その物品と同じ色の寸法識別マークが付された物品を調べると特定の寸法を有する物品が見つかりやすい。また、ある物品の寸法が特定の寸法から離れている時は、その物品と異なる色の寸法識別マークが付された物品を調べると特定の寸法を有する物品が見つかりやすい。すなわち、寸法識別マークの色の情報を利用することにより、特定の寸法を有する物品を効率よく探すことができる。そして、寸法識別マークには物品の寸法が視認しやすい文字で表示されているので、物品の寸法の確認が容易である。
【０００８】
次に、本考案の第２の考案は、上記第１の考案に係る寸法識別マークが付された物品であって、
前記寸法の整数値部分が同一の物品は同一のグループに属し、該寸法の整数値部分が異なる物品は異なるグループに属し、各グループには異なる色が割り当てられていることを特徴とする。
この第２の考案によれば、寸法の整数値部分が同一の物品は同一のグループに属し、寸法識別マークが同じ色で着色されている。また、寸法の整数値部分が異なる物品は異なるグループに属し、寸法識別マークが異なる色で着色されている。よって、ある物品の寸法の整数値部分が特定の寸法の整数値部分と同じで有れば、その物品の寸法識別マークと同じ色の寸法識別マークが付された物品の中に特定の寸法を有する物品がある。そして、ある物品の寸法の整数値部分が特定の寸法の整数値部分と異なれば、その物品の寸法識別マークと異なる色の寸法識別マークが付された物品の中に特定の寸法を有する物品がある。よって、寸法識別マークの色を手がかりとして、特定の寸法を有する物品を効率よく探すことができる。
【０００９】
次に、本考案の第３の考案は、上記第１の考案または第２の考案に係る寸法識別マークが付された物品であって、
前記物品には該物品の前記寸法に対応する寸法を有し該物品と同時に使用される対応物品が存在し、前記対応物品に付される寸法識別マークが、前記物品に付される寸法識別マークと同じ色で着色されていることを特徴とする。
この第３の考案によれば、ある物品と寸法で対応する対応物品の寸法識別マークは、当該物品の寸法識別マークと同じ色で着色されている。そこで、寸法で対応し同時に使用する２物品については、所定の寸法を有する一方の物品の寸法識別マークと同じ色で着色された寸法識別マークが付された他方の物品の中に、寸法が対応する物品がある。そこで、寸法識別マークの色を手がかりとして、対応する寸法を有する物品を効率よく探すことができる。
【００１０】
次に、本考案の第４の考案は、上記第３の考案に係る寸法識別マークが付された物品であって、
前記対応物品に付される寸法識別マークの形状が、前記物品に付される寸法識別マークの形状と相似形とされていることを特徴とする。
この第４の考案によれば、ある物品と寸法で対応する対応物品の寸法識別マークは、当該物品の寸法識別マークと同じ色で着色され相似形をなしている。そこで、寸法で対応し同時に使用する２物品については、所定の寸法を有する一方の物品の寸法識別マークと同じ色で着色された寸法識別マークが付された他方の物品の中に、寸法識別マークが相似形で寸法が対応する物品がある。よって、寸法識別マークの色とその形状を手がかりとして、対応する寸法を有する物品を効率よく探すことができる。
【００１１】
次に、本考案の第５の考案は、上記第３の考案または第４の考案に係る寸法識別マークが付された物品であって、前記物品はねじであり、前記寸法はねじの径であり、前記対応物品はねじを挿通する孔の明けられた金具であることを特徴とする。
この第５の考案によれば、所定の径のねじの寸法識別マークの色などを手がかりとして、寸法が対応する金具を効率よく探すことができる。また、金具に付された寸法識別マークの色などを手がかりとして、寸法が対応するねじを効率よく探すことができる。
【００１２】
次に、本考案の第６の考案は、上記第１の考案〜第５の考案のいずれかの考案に係る寸法識別マークが付された物品であって、
前記物品には該物品の寸法を検査する検査具が存在し、前記検査具は前記物品の各寸法に対応する複数の検査構造部を備えており、該検査具の検査構造部の近傍に、該物品の各寸法に対応する寸法識別マークと同じ色で着色され、かつ、該検査構造部で検査される寸法を視認しやすい文字で表示した寸法識別マークが付されていることを特徴とする。
この第６の考案によれば、所定の寸法の物品を探す時は、検査具でその寸法に対応する検査構造部の近傍に付された寸法識別マークを見れば、所定の寸法の物品に付されている寸法識別マークが何色で着色されているかがわかる。また、現物から同じ寸法を有する物品を探す時は、検査具で現物の寸法を調べ、現物と寸法が対応する検査構造部の近傍に付された寸法識別マークを見れば、現物の寸法および同じ寸法の物品に付されている寸法識別マークの色がわかる。よって、検査具に付された寸法識別マークの色を手がかりとして、所定の寸法の物品あるいは現物と同じ寸法の物品を効率よく探すことができる。
【００１３】
次に、本考案の第７の考案は、上記第６の考案に係る寸法識別マークが付された物品であって、
前記検査具に付された寸法識別マークの形状が、前記物品またはその包装に付された寸法識別マークの形状と相似形とされていることを特徴とする。
この第７の考案によれば、所定の寸法を有する物品を探す場合、または現物と同じ寸法を有する物品を探す場合のいずれの場合にも、検査具の所定の寸法に対応する検査構造部或いは現物の寸法を調べた検査構造部の近傍に付された寸法識別マークの色及び形状を手がかりとして、所定の寸法を有する物品を効率よく探すことができる。
【考案の効果】
【００１４】
上述の本考案の各考案によれば、次の効果が得られる。
まず、上述の第１の考案によれば、寸法識別マークの色の情報を利用することにより、特定の寸法を有する物品を効率よく探すことができる。そして、寸法識別マークには物品の寸法が視認しやすい文字で表示されているので、物品の寸法の確認が容易である。
次に上述の第２の考案によれば、ある物品の寸法の整数値部分が特定の寸法の整数値部分と同じか否かにより、その物品の寸法識別マークと特定の寸法の物品の寸法識別マークが同じ色で着色されているか異なる色で着色されているかが定まるので、寸法識別マークの色を手がかりとして、特定の寸法を有する物品を効率よく探すことができる。
次に上述の第３の考案によれば、寸法で対応し同時に使用する２物品については、所定の寸法を有する一方の物品の寸法識別マークと同じ色で着色された寸法識別マークをが付された他方の物品の中に、寸法が対応する物品がある。そこで、寸法識別マークの色を手がかりとして、対応する寸法を有する物品を効率よく探すことができる。
次に上述の第４の考案によれば、寸法で対応し同時に使用する２物品については、寸法識別マークの色とその形状を手がかりとして、対応する寸法を有する物品を効率よく探すことができる。
次に上述の第５の考案によれば、所定の径のねじの寸法識別マークの色などを手がかりとして、寸法が対応する金具を効率よく探すことができる。また、金具に付された寸法識別マークの色などを手がかりとして、寸法が対応するねじを効率よく探すことができる。
次に上述の第６の考案によれば、所定の寸法を有する物品を探す場合、または現物と同じ寸法を有する物品を探す場合のいずれの場合にも、検査具の所定の寸法に対応する検査構造部あるいは現物の寸法を調べた検査構造部の近傍に付された寸法識別マークの色を手がかりとして、所定の寸法を有する物品を効率よく探すことができる。
次に上述の第７の考案によれば、所定の寸法を有する物品を探す場合、または現物と同じ寸法を有する物品を探す場合のいずれの場合にも、検査具の所定の寸法に対応する検査構造部あるいは現物の寸法を調べた検査構造部の近傍に付された寸法識別マークの色及び形状を手がかりとして、所定の寸法を有する物品を効率よく探すことができる。
【図面の簡単な説明】
【００１５】
【図１】実施例１における木ねじの包装に印刷される寸法識別マークを示す図である。
【図２】実施例１における寸法識別マークが付された木ねじの包装を示す図である。
【図３】実施例１における金具に貼るラベルに印刷される寸法識別マークを示す図である。
【図４】図１に示した寸法識別マークが印刷されたラベルを貼り付けた金具を示す図である。
【図５】実施例１における寸法識別マークが付されたねじゲージを示す図である。
【図６】実施例２における寸法識別マークが付されたねじの包装を示す図である。
【図７】実施例２における寸法識別マークが付された金具を示す図である。
【考案を実施するための形態】
【００１６】
以下、本考案を実施するための形態について実施例にしたがって説明する。なお、各実施例の説明で使用するねじの径の寸法は、ねじの呼び径の寸法である。
【実施例１】
【００１７】
本考案の実施例１に係る物品は、ねじの径の寸法が２．１ミリ〜５．８ミリの範囲で１０種類のねじ径の寸法が異なるものが存在する木ねじである。
図１に本考案の実施例１における木ねじの包装に印刷される寸法識別マーク２０ａ〜２０ｊを示す。そして、図２に寸法識別マーク２０ｄが印刷された木ねじ１０ｄの包装１２ｄ及び寸法識別マーク２０ｈが印刷された木ねじ１０ｈの包装１２ｈを示す。
実施例１の木ねじは、径の寸法の順に径の整数値部分が同一となる木ねじにグループ分けされている。すなわち、径の小さい方から順に径の寸法が２．１、２．４および２．７のグループ１、径の寸法が３．１、３．５および３．８のグループ２、径の寸法が４．１および４．５のグループ３、径の寸法が５．１および５．８のグループ４の４つのグループに分けられている。そして、グループ１には緑色、グループ２には赤色、グループ３には黄緑色、グループ４には橙色が割り当てられている。
【００１８】
寸法識別マーク２０ａ〜２０ｊは、それぞれ、木ねじの径の整数値部分を表示する第１表示部２２ａ〜２２ｊ及び木ねじの径の少数値部分を表示する第２表示部２４ａ〜２４ｊから構成されている。そして、第１表示部２２ａ〜２２ｊは円形の輪郭を有し、各グループに割り当てられた色で内部が着色され、中央部にねじの径の整数値部分の数値が大きく白抜きで表記されている。そして、第２表示部２４ａ〜２４ｊは円形又は多角形の輪郭を有し、輪郭が各グループに割り当てられた色で着色され、内部は白色とされており、中央部にねじの径の少数値部分の数値が黒で縁取った白抜きで大きく表記されている。なお、第２表示部の輪郭は寸法の少数値部分が２以下の時は円形とされ、少数値部分が３以上の時はその数値に対応した多角形、たとえば少数値部分が５であれば５角形とされている。
なお、本出願に添付の図面では、寸法識別マークの着色部分をハッチングで表記しており、ハッチングの向きが同じものは同じ色であることを示し、ハッチングの向きが異なるものは異なる色であることを示している。
【００１９】
実施例１の木ねじの包装に印刷されている寸法識別マーク２０ａ〜２０ｊは、ねじの径の寸法の整数値部分が等しいものは同じ色で着色され、ねじの径の寸法の整数値部分が異なるものは異なる色で着色されている。そこで、特定の径を有する木ねじを探す時は、まず、１つの木ねじの包装からねじ径と寸法識別マークの色を調べる。すると、その木ねじとねじ径の整数値部分が同じ木ねじの包装には同じ色で寸法識別マークが印刷されており、ねじの径の寸法の整数値部分が異なる木ねじの包装には異なる色で寸法識別マークが印刷されている。そこで、その木ねじのねじ径の整数値部分が探している木ねじのねじ径の整数値部分と同じであれば、その木ねじと寸法識別マークの色が同じものの中に探しているねじ径の木ねじがある。また、その木ねじのねじ径の整数値部分が探している木ねじのねじ径の整数値部分と異なる時は、その木ねじと寸法識別マークの色が異なるものの中に探している木ねじがある。このように、寸法識別マークの色の情報を利用して、調べる範囲を絞り込み、特定の径を有する木ねじを効率よく探すことができる。そして、ねじ径の寸法は白抜きの大きな文字で表記されているため、木ねじの径の寸法が視認しやすく、ねじ径の確認が容易である。
【００２０】
実施例１では、各グループに割り当てる色に規則性は持たせていない。しかし、例えば、径の小さい方から順に、寒色系から暖色系に変化させ、紺、青、緑、黄緑、黄色、橙、赤等の順に割り当てれば、ねじ径の寸法の差により、特定のねじ径を有するねじの寸法識別マークにどの色が割り当てられているか、ある程度の見当を付けることができる。
なお、実施例１では各グループに割り当てる色は全て異なるが、寸法の異なるものの種類が多く、使用できる色に制約がある時は、寸法の離れたグループに対して同じ色を割り当ててもよい。
また、実施例１では、ねじ径の寸法の整数値部分が同じものを同じグループに、ねじ径の寸法の整数値部分が異なるものを別グループにしているが、これはグループ分けの一手法であり、グループ分けはこれに限定されない。木ねじを寸法順に複数のグループに分け、寸法の近いグループには異なる色を割り当てて寸法識別マークを着色すれば、寸法識別マークの色の情報を利用して、効率よく特定のねじ径を有する木ねじを探すことが可能となる。
【００２１】
ところで、木ねじで木材を締結するときは、締結用の金具が用いられることが多い。この木ねじ用の金具には、木ねじを挿通するための孔が予め明けられており、木ねじの寸法に対応した種類の金具が用意されているので、木ねじの寸法に対応する孔の明けられた金具を選択する必要がある。寸法の対応しない金具を選んでしまうと、木ねじが金具の孔に入らなかったり、木ねじの頭が金具の孔をすり抜けてしまう等の不都合が生じる。
【００２２】
図３に、実施例１の木ねじ用の金具に貼付するラベル３２ａ〜３２ｊを示す。この金具が本考案の対応物品に相当する。ラベル３２ａ〜３２ｊには、金具に明けられた孔の寸法を示す寸法識別マーク４０ａ〜４０ｊの他に、金具の名称、バーコード等が印刷されている。そして、金具に付される寸法識別マーク４０ａ〜４０ｊは、それぞれ、孔の径の整数値部分を表示する第１表示部４２ａ〜４２ｊ及び孔の径の少数値部分を表示する第２表示部４４ａ〜４４ｊから構成されている。そして、寸法識別マーク２０ａ〜２０ｊが包装に印刷されている木ねじと、寸法識別マーク４０ａ〜４０ｊが貼付されたラベル３２ａ〜２３ｊに印刷されている金具が、それぞれ対応する寸法を有している。
【００２３】
そして、寸法識別マーク４０ａ〜４０ｊの第１表示部４２ａ〜４２ｊは円形の輪郭を有し、輪郭が白抜きとされ、寸法で対応する木ねじの寸法識別マーク２０ａ〜２０ｊと同じ色で内部が着色され、中央部に孔の径の整数値部分の数値が大きく白抜きで表記されている。そして、第２表示部４４ａ〜４４ｊは円形又は多角形の輪郭を有し、輪郭が白抜きとされ、第１表示部４２ａ〜４２ｊと同じ色で薄く着色され、中央部に孔の径の少数値部分の数値が白抜きで大きく表記されている。そして、寸法識別マーク４０ａ〜４０ｊの周辺の余白部分は、対応する木ねじの寸法識別マークと同じ色で薄く着色されている。
なお、添付の図面では、同じ色で薄く着色した場合は、ハッチングの向きは同じとし、ハッチングの間隔を広くして表示している。
図４に、寸法識別マーク４０ｄが印刷されたラベル３２ｄが貼付された金具３０ｄ、寸法識別マーク４０ｅが印刷されたラベル３２ｅが貼付された金具３０ｅ、および寸法識別マーク４０ｆが印刷されたラベル３２ｆが貼付された金具３０ｆを示す。なお、図４では、図示の縮尺の違いにより、図３と比べてハッチングの間隔が密となっているが、これは図示の都合によるものであり、図３と図４では、同じ符号で示した寸法識別マークは同じ色で着色されている。
【００２４】
実施例１では、木ねじと寸法で対応する金具のラベルに付された寸法識別マークは、木ねじの包装に付された寸法識別マークと同じ色で着色され、同じ形状とされている。そこで、特定の径の木ねじの包装に付された寸法識別マークの色と形を手がかりとして、寸法が対応する金具を効率よく探すことができる。また、金具のラベルに付された寸法識別マークの色や形を手がかりとして、寸法が対応する木ねじを効率よく探すことができる。
なお、実施例１では木ねじと金具について、寸法識別マークの色と形状を合わせているが、寸法識別マークの形状は異なるものとしても良い。
実施例１では木ねじと金具の例を示したが、寸法で対応するボルトとナットについて本考案を適用することもできる。本考案によれば、寸法で対応し同時に使用する木ねじと金具やボルトとナットのような２物品については、所定の寸法を有する一方の物品に付された寸法識別マークと同じ色で着色された寸法識別マークが付された他方の物品の中に、寸法が対応する物品があるので、寸法識別マークの色を手がかりとして、対応する寸法を有する物品を効率よく探すことができる。
【００２５】
ところで、ねじ等の売り場には、現物合わせでねじの寸法を確認して同じ寸法のねじを購入できるように、寸法の異なる複数のねじ孔が明けられたねじゲージが用意されていることがある。
図５に、実施例１の木ねじに対応するねじゲージ５０を示す。ねじゲージ５０には、実施例１のねじ径が異なる１０種類の木ねじに対応して、ねじ孔の径が異なる１０個のねじ孔５２ａ〜５２ｊが設けられている。このねじゲージ５０が本考案の検査具に相当し、ねじゲージ５０に設けられたねじ孔５２ａ〜５２ｊが本考案の検査構造部に相当する。ねじ孔５２ｊには、想像線で示した、ねじの径が５．８ミリの木ねじ１０ｊが対応する。
【００２６】
そして、図５に示すとおり、ねじゲージ５０にはゲージラベル５４が貼付されており、ゲージラベル５４には、ねじ孔５２ａ〜５２ｊのすぐ下となる位置に、そのねじ孔５２ａ〜５２ｊで検査される寸法を示す寸法識別マーク６０ａ〜６０ｊが印刷されている。
そして、ゲージラベル５４に印刷された寸法識別マーク６０ａ〜６０ｊは、それぞれ、ねじゲージ５０に明けられたねじ孔の径の整数値部分を表示する第１表示部６２ａ〜６２ｊ及びねじ孔の径の少数値部分を表示する第２表示部６４ａ〜６４ｊから構成されている。そして、寸法識別マーク２０ａ〜２０ｊが包装に印刷されている木ねじと、ゲージラベル５４に印刷された寸法識別マーク６０ａ〜６０ｊのすぐ上に位置するねじゲージ５０に明けられたねじ孔５２ａ〜５２ｊが、それぞれ対応する寸法を有している。
【００２７】
そして、寸法識別マーク６０ａ〜６０ｊの第１表示部６２ａ〜６２ｊは円形の輪郭を有し、輪郭が白抜きとされ、寸法で対応する木ねじの寸法識別マークと同じ色で内部が着色され、中央部にねじ孔の径の整数値部分の数値が大きく白抜きで表記されている。そして、第２表示部６４ａ〜６４ｊは円形又は多角形の輪郭を有し、輪郭が白抜きとされ、第１表示部６２ａ〜６２ｊと同じ色で内部が薄く着色され、中央部にねじ孔の径の少数値部分の数値が白抜きで大きく表記されている。すなわち、木ねじの包装に付されている寸法識別マークと寸法が対応する検査具のねじ孔の近くに付されている寸法識別マークは形状が同じであって、同じ色で着色されている。
【００２８】
そこで、所定の寸法の木ねじを探す時は、木ねじ用の検査具でその寸法に対応するねじ孔の近傍に付された寸法識別マークを見れば、目的の木ねじに付されている寸法識別マークがどのような形状であり、どのような色で着色されているかがわかる。そのため、寸法識別マークの色や形を手がかりとして、所定の寸法を有する木ねじを効率よく探すことができる。また、現物から同じ寸法を有する木ねじを探す時は、検査具で現物の寸法を調べ、現物と寸法が対応するねじ孔の近くに付された寸法識別マークを見れば、現物の寸法および同じ寸法の木ねじに付されている寸法識別マークの色や形がわかるので、検査具に付された寸法識別マークの色や形を手がかりとして、現物と同じ寸法の木ねじを効率よく探すことができる。
【実施例２】
【００２９】
図６に実施例２における寸法識別マークが印刷されたねじの包装７０ａ〜７０ｅの例を示す。包装７０ａ〜７０ｅの右上には収納されるねじの形状が表示されている。なお、包装に収納されるねじについては図示を省略している。実施例２では、実施例１と寸法識別マーク７２ａ〜７２ｅのデザインが異なっている。そして、異なる種類のねじについて、共通のデザインの寸法識別マークを使用している。
実施例２では、ねじ径の寸法の整数値部分が同じものを同一グループ、ねじ径の寸法の整数値部分が異なるものを別グループとし、各グループに異なる色が割り当てられている。そして、寸法識別マーク７２ａ〜７２ｅは輪郭が円形又は多角形とされ、内部がねじが属するグループに割り当てられた色で着色されている。そして、寸法識別マークの中央部にねじの径の寸法数値が整数値部分をやや小さく少数部分を大きくして白抜きで表記されている。なお、少数部分が０の時は、寸法識別マーク７２ｄのように寸法の整数値部分のみが大きく白抜きで表記されている。なお、寸法識別マーク７２ａ〜７２ｅの輪郭は寸法の少数値部分が２以下の時は円形とされ、少数値部分が３以上の時はその数値に対応した多角形、たとえば少数値部分が３であれば７２ｂのように３角形とされている。
そして、ねじの種類によらず、ねじの径の寸法の整数値部分が同じグループについては共通の色が割り当てられている。よって、異なる種類のねじについてねじの径が同じものは同じ色の寸法識別マークが付されることとなる。
【００３０】
実施例２によれば、実施例１と同様に、ある径のねじに付された寸法識別マークの色を手がかりとして、特定の径のねじを効率よく探すことができる。また、実施例２では、ある種類のねじの寸法識別マークの色を手がかりとして、種類の異なるねじについてねじ径が同じものを効率よく探すことができる。そして、ねじの径は白抜きの大きな文字で表記されているのでねじの径を視認しやすく、ねじの径の確認が容易である。
【００３１】
図７に、実施例２におけるねじと寸法で対応する対応物品である、寸法識別マークが付された金具８０ａ、８０ｃ、８０ｆ、８０ｇ、８０ｈを示す。金具８０ａは径が３．５ミリのねじ用の金折金具であり、そのラベルにはねじ径が３．５ミリのねじの包装に７０ａ印刷された寸法識別マーク７２ａ（図６参照）と同じ色で同じ形の寸法識別マーク８２ａが印刷されている。また、金具８０ｃは径が３．１ミリのねじ用の一文字金具であり、そのラベルにはねじ径が３．１ミリのねじの包装７０ｃ印刷された寸法識別マーク７２ｃ（図６参照）と同じ色で同じ形の寸法識別マーク８２ｃが印刷されている。また金具８０ｆ、８０ｇ、８０ｈは対応するねじの径がそれぞれ２．７ミリ、２．７ミリ、２．４ミリであり、これらの金具のラベルに印刷された寸法識別マーク８２ｆ、８２ｇ、８２ｈは、ねじ径が２．６ミリのねじの包装に印刷された寸法識別マーク７２ｅ（図６参照）と同じ色で着色されている。なお、縮尺の違いにより、図６と図７ではハッチの間隔が若干異なっている。
【００３２】
実施例２によれば、実施例１と同様、寸法が対応するねじと金具の寸法識別マークは同じ色で着色され、同じ形状とされている。よって、一方の物品に付された寸法識別マークの色や形を手がかりにして、寸法が対応する他方の物品を効率よく探すことができる。また、互いに組み合わせて使用することができる種類のねじと金具について、寸法が同じ数値範囲のグループに同じ色を割当てることにより、寸法数値が同じで寸法識別マークの色が同じ物品であれば組み合わせ使用が可能であることを示すことができる。
【００３３】
その他、本考案に係る寸法識別マークが付された物品はその考案の思想の範囲で、各種の形態で実施できるものである。
【符号の説明】
【００３４】
１０ｄ、１０ｈ、１０ｊ      木ねじ（物品）
１２ｄ、１２ｈ       包装
２０ａ〜２０ｊ       寸法識別マーク
２２ａ〜２２ｊ       第１表示部
２４ａ〜２４ｊ       第２表示部
３０   金具（対応物品）
３２   ラベル
４０ａ〜４０ｊ       寸法識別マーク
４２ａ〜４２ｊ       第１表示部
４４ａ〜４４ｊ       第２表示部
５０   ねじゲージ（検査具）
５２ａ〜５２ｊ       ねじ孔（検査構造部）
５４   ゲージラベル
６０ａ〜６０ｊ       寸法識別マーク
６２ａ〜６２ｊ       第１表示部
６４ａ〜６４ｊ       第２表示部
７０ａ〜７０ｅ       包装
７２ａ〜７２ｅ       寸法識別マーク
８０ａ、８０ｃ、８０ｆ、８０ｇ、８０ｈ    金具（対応物品）
８２ａ、８２ｃ、８２ｆ、８２ｇ、８２ｈ    寸法識別マーク
【図１】
0003152762.tif 000003
【図２】
0003152762.tif 000004
【図３】
0003152762.tif 000005
【図４】
0003152762.tif 000006
【図５】
0003152762.tif 000007
【図６】
0003152762.tif 000008
【図７】
0003152762.tif 000009